(57)【要約】【課題】  被照明部材の輝度を独立で調光したり、発光色を変えたりすることが可能な照明装置及び表示装置を提供する。【解決手段】  照明装置は、列状に配設された複数の照明素子からなる照明手段と、照明手段から発せられた照明光を被照明部材１，２へ導く導光手段とを備える。導光手段は、第一の導光体５と、第一の導光体５の外周面に沿う第二の導光体６と、を有する。照明手段は、第一の導光体５に対応する第一の照明素子３と、第二の導光体６に対応する第二の照明素子４とを有する。第二の照明素子４は、第一の照明素子３とは異なる輝度若しくは異なる色の光を発する。導光手段は、第一の導光体５と第二の導光体６とを連結する連結部８を備える。【選択図】図３
2010092832.tif 000002
【特許請求の範囲】
【請求項１】
列状に配設された複数の照明素子からなる照明手段と、前記照明手段から発せられた照明光を被照明部材へ導く導光手段と、を備えた照明装置であって、
前記導光手段は、第一の導光体と、前記第一の導光体の外周面に沿う第二の導光体と、を有し、
前記照明手段は、前記第一の導光体に対応する第一の照明素子と、前記第二の導光体に対応する第二の照明素子と、を有すると共に、前記第二の照明素子は、前記第一の照明素子とは異なる輝度若しくは異なる色の光を発することを特徴とする照明装置。
【請求項２】
前記導光手段は、前記第一の導光体と前記第二の導光体とを連結する連結部を備えてなることを特徴とする請求項１に記載の照明装置。
【請求項３】
前記連結部は、前記第一の導光体と前記第二の導光体との間に折れ曲がり部を有することを特徴とする請求項２に記載の照明装置。
【請求項４】
前記連結部は、Ｌ字状，コ字状，Ｕ字状の何れかの形状であることを特徴とする請求項２に記載の照明装置。
【請求項５】
液晶表示パネルと、表示板と、前記液晶表示パネル及び前記表示板を照明する列状に配設された複数の照明素子からなる照明手段と、前記照明手段から発せられた照明光を前記液晶表示パネル及び前記表示板へ導く導光手段と、を備えた表示装置であって、
前記導光手段は、第一の導光体と、前記第一の導光体の外周面に沿う第二の導光体と、を有し、
前記照明手段は、前記第一の導光体に対応して前記液晶表示パネルを照明する第一の照明素子と、前記第二の導光体に対応して前記表示板を照明する第二の照明素子と、を有すると共に、前記第二の照明素子は、前記第一の照明素子とは異なる輝度若しくは異なる色の光を発することを特徴とする表示装置。
【請求項６】
前記導光手段は、前記第一の導光体と前記第二の導光体とを連結する連結部を備えてなることを特徴とする請求項５に記載の表示装置。
【請求項７】
前記連結部は、前記第一の導光体と前記第二の導光体との間に折れ曲がり部を有することを特徴とする請求項６に記載の照明装置。
【請求項８】
前記連結部は、Ｌ字状，コ字状，Ｕ字状の何れかの形状であることを特徴とする請求項６に記載の照明装置。
【発明の詳細な説明】
【技術分野】
【０００１】
本発明は、照明素子から発せられた照明光にて被照明部材を照明する照明装置及び表示装置に関するものである。
【背景技術】
【０００２】
従来より、発光ダイオード等の照明素子から発せられた照明光にて液晶表示パネルを照明する指針式計器が種々提案されており、例えば特許文献１に開示されている。斯かる指針式計器は、表示器と、この表示器の周囲に位置する指標部を備えた表示板と、前記指標部を指示する指針と、前記表示器と前記指針とを夫々照明する照明素子と、前記各照明素子の光を前記表示器と前記指針とを夫々導く導光体と、前記表示器の背面側に配置され前記指針を回動させる駆動装置とを備えた構成であった。また、本願出願人は、列状に設けられた照明素子群から発せられた光を導光体によって導光し、指針，液晶表示パネル及び表示板を照明する表示装置を提案している（特許文献２）。
【先行技術文献】
【特許文献】
【０００３】
【特許文献１】特開２００６−１１８８９２号公報
【特許文献２】特開２００９−３１１１９号公報
【発明の概要】
【発明が解決しようとする課題】
【０００４】
しかしながら、前記表示装置は、照明素子群から発せられた光を単一の導光体によってのみ導光していることにより、指針，液晶表示パネル及び表示板の輝度を独立で調光、あるいは表示色を各々変えることができないという問題を有している。
本発明は、この問題に鑑みなされたものであり、被照明部材の輝度を独立で調光したり、発光色を変えたりすることが可能な照明装置及び表示装置を提供するものである。
【課題を解決するための手段】
【０００５】
本発明は、列状に配設された複数の照明素子からなる照明手段３，４と、前記照明手段３，４から発せられた照明光を被照明部材１，２へ導く導光手段５，６，２５，２６，３５，３６，４５，４６と、を備えた照明装置であって、前記導光手段は、第一の導光体５，２５，３５，４５と、前記第一の導光体５，２５，３５，４５の外周面に沿う第二の導光体６，２６，３６，４６と、を有し、前記照明手段は、前記第一の導光体５，２５，３５，４５に対応する第一の照明素子３と、前記第二の導光体６，２６，３６，４６に対応する第二の照明素子４と、を有すると共に、前記第二の照明素子４は、前記第一の照明素子３とは異なる輝度若しくは異なる色の光を発するものである。
【０００６】
また、本発明は、前記導光手段は、前記第一の導光体５，２５，３５，４５と前記第二の導光体６，２６，３６，４６とを連結する連結部８，２８，３８，４８を備えてなるものである。
【０００７】
また、本発明は、前記連結部８，２８，３８，４８は、前記第一の導光体５，２５，３５，４５と前記第二の導光体６，２６，３６，４６との間に折れ曲がり部を有するものである。
【０００８】
また、本発明は、前記連結部８，２８，３８，４８は、Ｌ字状，コ字状，Ｕ字状の何れかの形状である。
【０００９】
また、本発明は、液晶表示パネル１と、表示板２と、前記液晶表示パネル１及び前記表示板２を照明する列状に配設された複数の照明素子からなる照明手段３，４と、前記照明手段３，４から発せられた照明光を前記液晶表示パネル１及び前記表示板２へ導く導光手段５，６，２５，２６，３５，３６，４５，４６と、を備えた表示装置であって、前記導光手段は、第一の導光体５，２５，３５，４５と、前記第一の導光体５の外周面に沿う第二の導光体６，２６，３６，４６と、を有し、前記照明手段は、前記第一の導光体５，２５，３５，４５に対応して前記液晶表示パネル１を照明する第一の照明素子３と、前記第二の導光体６，２６，３６，４６に対応して前記表示板２を照明する第二の照明素子４と、を有すると共に、前記第二の照明素子４は、前記第一の照明素子３とは異なる輝度若しくは異なる色の光を発するものである。
【００１０】
また、本発明は、前記導光手段は、前記第一の導光体５，２５，３５，４５と前記第二の導光体とを連結する連結部を備えてなるものである。
【００１１】
また、本発明は、前記連結部８，２８，３８，４８は、前記第一の導光体５，２５，３５，４５と前記第二の導光体６，２６，３６，４６との間に折れ曲がり部を有するものである。
【００１２】
また、本発明は、前記連結部８，２８，３８，４８は、Ｌ字状，コ字状，Ｕ字状の何れかの形状である。
【発明の効果】
【００１３】
第一の導光体と第二の導光体とを分断して、第一の導光体と第二の導光体とに夫々対応する第一の照明素子と第二の照明素子とを設けることにより、被照明部材の輝度を独立で調光したり、発光色を変えたりすることが可能になる。
【図面の簡単な説明】
【００１４】
【図１】本発明の第一実施形態を示す正面図。
【図２】同上実施形態を示す断面図。
【図３】同上実施形態を示す導光体の正面図。
【図４】本発明の第二実施形態を示す断面図。
【図５】本発明の第三実施形態を示す断面図。
【図６】本発明の第四実施形態を示す正面図。
【発明を実施するための形態】
【００１５】
以下、添付図面に基づいて、本発明の一実施形態を説明する。図１乃至図３は第一実施形態を示すものである。表示装置は、液晶表示パネル（被照明部材）１と、表示板２（被照明部材）と、第一，第二の照明素子（照明手段）３，４と、第一，第二の導光体（導光手段）５，６とを備える。
【００１６】
液晶表示パネル１は、ＳＴＮ（Super Twisted Nematic）やＴＮ（Twisted Nematic）等の液晶表示素子であり、第一の導光体５の前方に配置され、様々な情報（外気温情報，走行距離情報，燃費情報，ナビゲーション情報等）を表示する。表示板２は、透明樹脂に指標部２ａとなる文字または数字を印刷したものであり、第二の導光体６の前面に配置され、第二の導光体６より照射される光を透過させ、指標部２ａが光輝する。
【００１７】
第一の照明素子３は、白色光を発するチップ型発光ダイオードからなり、第一の導光体５の端面から第一の導光体５の内部に光を供給できるように配設される。第一の照明素子３は回路基板１０から供給される電力によって発光し、第一の導光体５を介して、液晶表示パネル１を透過照明する。
第二の照明素子４は、白色光を発するチップ型発光ダイオードからなり、第二の導光体６の端面から第一の導光体６の内部に光を供給できるように配設される。第二の照明素子４は回路基板１０から供給される電力によって発光し、第二の導光体６を介して、表示板２を透過照明する。第二の照明素子４は、第一の照明素子３とは異なる輝度、もしくは異なる色を発する。
第一の照明素子３及び第二の照明素子４は、回路基板１０に搭載され、列状に配置されている。第一，第二の照明素子３，４は、輝度を独立で調光したり、あるいは発光色を夫々で変えたりすることができる。
【００１８】
第一の導光体５は、第一の照明素子３から発せられた光を液晶表示パネル１に向けて導光し、液晶表示パネル１を透過照明する。第一の導光体５は、第一の照明素子３からの光を遮ることなく導光させるため、略気球形になっている。第一の導光体５の裏面には、微細な溝、あるいはドット等が形成されており、液晶表示パネル１に向けて、照明ムラの無い導光を可能としている。
第二の導光体６は、第二の照明素子４から発せられた光を表示板２に向けて導光し、表示板２を透過照明する。第二の導光体６は、正面視で第一の導光体５の外周面に沿う形状になっており、外周面とほぼ同形状な内周面を有する。第二の導光体６の裏面には、微細な溝、あるいはドット等が形成されており、表示板２に向けて、照明ムラの無い導光を可能としている。
【００１９】
第一の導光体５と第二の導光体６との間には空隙部７が形成されており、この空隙部７によって第一，第二の導光体５，６への導光経路を分断し、相互が照明的な干渉を受けることなく、第一，第二の照明素子３，４が発した光を夫々液晶表示パネル１，表示板２に導光することを可能にしている。第一の導光体５と第二の導光体６は、連結部８によって連結され、一体となっている。
【００２０】
ケース体９は、白色樹脂からなるものであり、第一，第二の導光体５，６，回路基板１０等を保持する。ケース体９は、第一，第二の導光体５，６の背後に配設され、第一，第二の導光体５，６からの漏光を反射させることにより、導光効率を上昇させる。回路基板１０は、アルミ等の高熱伝導率の材質からなり、第一，第二の照明素子３，４と電気的に接続され、第一，第二の照明素子３，４に電力を供給する。
【００２１】
フレーム１１は、白色樹脂からなり、ケース体９に嵌合し、表示板２，第一，第二の導光体５，６等をケース体９に固定する。光拡散シート１２は、薄い板状の透光性樹脂からなり、液晶表示パネル１の後面に配設され、第一の導光体５から出射される光を拡散させ、照明ムラを緩和させる。
【００２２】
第一実施形態のように第一の導光体５と第二の導光体６とを空隙部７によって分断して、第一の導光体５と第二の導光体６とに夫々対応する第一の照明素子３と第二の照明素子４とを設けることにより、液晶表示パネル１と表示板２との輝度を独立で調光したり、発光色を変えたりすることが可能になる。
【００２３】
図４は第二実施形態を示すものである。第一の導光体２５と第二の導光体２６は、連結部２８によって連結され、一体となっている。連結部２８は、第一の導光体２５と第二の導光体２６の間で２箇所の折れ曲がり部を有しており、その断面形状はＬ字状になっている。
【００２４】
図５は第三実施形態を示すものである。第一の導光体３５と第二の導光体３６は、連結部３８によって連結され、一体となっている。連結部３８は、第一の導光体３５と第二の導光体３６の間で４箇所の折れ曲がり部を有しており、その断面形状はコ字状になっている。
【００２５】
図６は第四実施形態を示すものである。第一の導光体４５と第二の導光体４６は、連結部４８によって連結され、一体となっている。連結部４８は、第一の導光体４５と第二の導光体４６の間で１箇所の折れ曲がり部を有しており、その正面視形状はＬ字状になっている。
【００２６】
第二乃至第四実施形態のように、連結部２８，３８，４８に折れ曲がり部を設けたことにより、第一の導光体２５，３５，４５から第二の導光体２６，３６，４６へ回り込もうとする光を、連結部２８，３８，４８によって抑制させることができる。
【００２７】
なお、本発明は、各実施形態に限定されるものではなく、種々の変形が可能であり、例えば、連結部８，２８，３８，４８は、第一の導光体５，２５，３５，４５から第二の導光体６，２６，３６，４６にかけて、第二の導光体６，２６，３６，４６が第一，第二の照明素子３，４に対して近づく傾斜部を有していても良い。また、ケース体９に壁部を設け、この壁部によって、第一，第二の照明素子３，４が発した光を分断しても良い。また、第一の導光体５，２５，３５，４５と第二の導光体６，２６，３６，４６の間にスペーサを設け、このスペーサによって、第一，第二の照明素子３，４が発した光を分断しても良い。
【符号の説明】
【００２８】
１  液晶表示パネル
２  表示板
３  第一の照明素子（照明手段）
４  第二の照明素子（照明手段）
５  第一の導光体（導光手段）
６  第二の導光体（導光手段）
８  連結部
２５  第一の導光体（導光手段）
２６  第二の導光体（導光手段）
２８  連結部
３５  第一の導光体（導光手段）
３６  第二の導光体（導光手段）
３８  連結部
４５  第一の導光体（導光手段）
４６  第二の導光体（導光手段）
４８  連結部
【図１】
2010092832.tif 000003
【図２】
2010092832.tif 000004
【図３】
2010092832.tif 000005
【図４】
2010092832.tif 000006
【図５】
2010092832.tif 000007
【図６】
2010092832.tif 000008